(57)【要約】【課題】足部、脚部、及びパンティ部を連続して編成でき、脚部の一部から足部では蒸れにくくし、脚部の一部からパンティ部では温かくフィット感が高いタイツを提供すること。【解決手段】本発明のタイツは、脚部３０を、足部１０及び踵部２０と連続する第１脚部３１と、パンティ部４０と連続する第２脚部３２とで構成し、足部１０、踵部２０、及び第１脚部３１を、第１弾性糸の周りを綿を主体とした繊維で覆った第１表糸と、第２弾性糸の周りをカバーリング用合成繊維で覆った裏糸とからなる第１素材繊維とし、第２脚部３２及びパンティ部４０を、第３弾性糸の周りを合成繊維を主体とした繊維で覆った第２表糸と、裏糸とからなる第２素材繊維とし、第１表糸を、第２表糸の太さの０．８倍から１．２倍の範囲の太さとし、第１脚部３１と第２脚部３２との境界位置Ｘを、踝より高く膝より低い位置としたことを特徴とする。【選択図】        図１
2017053048.tif 000002
【特許請求の範囲】
【請求項１】
足の甲から足裏を収める足部と、
前記足の踵を収める踵部と、
前記足部及び前記踵部から連続して編成される脚部と、
前記脚部から連続して編成されるパンティ部と
からなり、
前記パンティ部が、一方の前記脚部から連続して編成される一方パンティ部材と、他方の前記脚部から連続して編成される他方パンティ部材とからなり、
前記一方パンティ部材と前記他方パンティ部材とが、股下部からウエスト開口部まで腹部と背部とで縫着され、
前記踵部の内外両面にゴアラインを形成したタイツであって、
前記脚部を、前記足部及び前記踵部と連続する第１脚部と、前記パンティ部と連続する第２脚部とで構成し、
前記足部、前記踵部、及び前記第１脚部を、
第１弾性糸の周りを綿を主体とした繊維で覆った第１表糸と、第２弾性糸の周りをカバーリング用合成繊維で覆った裏糸とからなる第１素材繊維とし、
前記第２脚部及び前記パンティ部を、第３弾性糸の周りを合成繊維を主体とした繊維で覆った第２表糸と、前記裏糸とからなる第２素材繊維とし、
前記第１表糸の太さを、前記第２表糸の太さの０．８倍から１．２倍の範囲とし、
前記第１脚部と前記第２脚部との境界位置を、踝より高く膝より低い位置とした
ことを特徴とするタイツ。
【請求項２】
前記踵部の踵基準位置から前記股下部までの股下寸法をＹ、前記踵部の前記踵基準位置から前記境界位置までの境界高さをＺとしたとき、
０．３Ｙ≧Ｚ≧０．１Ｙとした
ことを特徴とする請求項１に記載のタイツ。
【請求項３】
前記第２表糸の前記太さを１５０デニールから３００デニールの範囲とし、
前記第１表糸を前記第２表糸よりも細くした
ことを特徴とする請求項２に記載のタイツ。
【請求項４】
前記第１表糸には、抗菌防臭加工を施したことを特徴とする請求項３に記載のタイツ。
【発明の詳細な説明】
【技術分野】
【０００１】
本発明は、足の甲から足裏を収める足部と、足部から連続して編成される脚部と、脚部から連続して編成されるパンティ部とからなるタイツに関する。
【背景技術】
【０００２】
特許文献１は、足首からつま先までの部分と、足首から膝下までの部分とを異なる素材の繊維からなるパーツとし、それぞれのパーツを縫合するストッキングを提案している。
特許文献２は、前後に対峙させた一対のニードルベッドを備えた横編機を用い、爪先側端部から編み出し、若しくは爪先側端部が編み終わりとなるように編成されたレッグウエアー素材に、レッグウエアー素材とは別個に編成した爪先側部材を無差別縫いにより爪先縫着部分に縫着したレッグウエアーを提案している。
【先行技術文献】
【特許文献】
【０００３】
【特許文献１】特開２００２−１６１４０２号公報
【特許文献２】特開平１０−２８０２０３号公報
【発明の概要】
【発明が解決しようとする課題】
【０００４】
特許文献１では、部位に応じて別機能を持たせることができるが、それぞれのパーツを縫合しなければならない。
特許文献２では、別々のパーツを縫着する際の熟練性や生産性の低さに着目し、生産性を高めることができる方法を提案しているが、別々のパーツを縫着することには変わりがない。
【０００５】
そこで本発明は、足部、脚部、及びパンティ部を連続して編成でき、脚部の一部から足部では蒸れにくくし、脚部の一部からパンティ部では温かくフィット感が高いタイツを提供することを目的とする。
【課題を解決するための手段】
【０００６】
請求項１記載の本発明のタイツは、足の甲から足裏を収める足部と、前記足の踵を収める踵部と、前記足部及び前記踵部から連続して編成される脚部と、前記脚部から連続して編成されるパンティ部とからなり、前記パンティ部が、一方の前記脚部から連続して編成される一方パンティ部材と、他方の前記脚部から連続して編成される他方パンティ部材とからなり、前記一方パンティ部材と前記他方パンティ部材とが、股下部からウエスト開口部まで腹部と背部とで縫着され、前記踵部の内外両面にゴアラインを形成したタイツであって、前記脚部を、前記足部及び前記踵部と連続する第１脚部と、前記パンティ部と連続する第２脚部とで構成し、前記足部、前記踵部、及び前記第１脚部を、第１弾性糸の周りを綿を主体とした繊維で覆った第１表糸と、第２弾性糸の周りをカバーリング用合成繊維で覆った裏糸とからなる第１素材繊維とし、前記第２脚部及び前記パンティ部を、第３弾性糸の周りを合成繊維を主体とした繊維で覆った第２表糸と、前記裏糸とからなる第２素材繊維とし、前記第１表糸の太さを、前記第２表糸の太さの０．８倍から１．２倍の範囲とし、前記第１脚部と前記第２脚部との境界位置を、踝より高く膝より低い位置としたことを特徴とする。
請求項２記載の本発明は、請求項１に記載のタイツにおいて、前記踵部の踵基準位置から前記股下部までの股下寸法をＹ、前記踵部の前記踵基準位置から前記境界位置までの境界高さをＺとしたとき、０．３Ｙ≧Ｚ≧０．１Ｙとしたことを特徴とする。
請求項３記載の本発明は、請求項２に記載のタイツにおいて、前記第２表糸の前記太さを１５０デニールから３００デニールの範囲とし、前記第１表糸を前記第２表糸よりも細くしたことを特徴とする。
請求項４記載の本発明は、請求項３に記載のタイツにおいて、前記第１表糸には、抗菌防臭加工を施したことを特徴とする。
【発明の効果】
【０００７】
本発明によれば、第１素材繊維と第２素材繊維とには同じ裏糸を用いることで、連続して編成でき、足部、踵部、及び第１脚部には、綿を主体とした第１表糸を用いることで蒸れにくく、第２脚部及びパンティ部には、合成繊維を主体とした第２表糸を用いることでフィット感を高めることができる。
【図面の簡単な説明】
【０００８】
【図１】本発明の一実施例によるタイツの正面図
【図２】同実施例によるタイツの要部拡大写真
【図３】同実施例によるタイツの使用状態図
【発明を実施するための形態】
【０００９】
本発明の第１の実施の形態によるタイツは、脚部を、足部及び踵部と連続する第１脚部と、パンティ部と連続する第２脚部とで構成し、足部、踵部、及び第１脚部を、第１弾性糸の周りを綿を主体とした繊維で覆った第１表糸と、第２弾性糸の周りをカバーリング用合成繊維で覆った裏糸とからなる第１素材繊維とし、第２脚部及びパンティ部を、第３弾性糸の周りを合成繊維を主体とした繊維で覆った第２表糸と、裏糸とからなる第２素材繊維とし、第１表糸の太さを、第２表糸の太さの０．８倍から１．２倍の範囲とし、第１脚部と第２脚部との境界位置を、踝より高く膝より低い位置としたものである。
本実施の形態によれば、足部、踵部、及び第１脚部には、綿を主体とした第１表糸を用いることで蒸れにくく、第２脚部及びパンティ部には、合成繊維を主体とした第２表糸を用いることでフィット感を高めることができる。
また、本実施の形態によれば、第１素材繊維と第２素材繊維とには同じ裏糸を用いることで、連続して編成できるとともに、第１脚部と第２脚部との境界位置での違和感を与えにくい。
また、本実施の形態によれば、第１表糸を、第２表糸の太さの０．８倍から１．２倍の範囲の太さとしているので、第１脚部と第２脚部との境界位置での違和感を与えにくい。
また、本実施の形態によれば、第１脚部と第２脚部との境界位置を、踝より高く膝より低い位置としているので、ブーツの長さに対応させて境界位置を隠せるとともに蒸れを防止できる。
【００１０】
本発明の第２の実施の形態は、第１の実施の形態によるタイツにおいて、踵部の踵基準位置から股下部までの股下寸法をＹ、踵部の踵基準位置から境界位置までの境界高さをＺとしたとき、０．３Ｙ≧Ｚ≧０．１Ｙとしたものである。
本実施の形態によれば、少なくとも踝の位置より上までを綿を主体とした第１表糸を用いるために蒸れにくく、境界位置がショートブーツ内となるため、境界位置がショートブーツで隠れるとともに保温性に優れる。
【００１１】
本発明の第３の実施の形態は、第２の実施の形態によるタイツにおいて、第２表糸の太さを１５０デニールから３００デニールの範囲とし、第１表糸を第２表糸よりも細くしたものである。
本実施の形態によれば、第２表糸の太さを１５０デニールから３００デニールの範囲とすることで、保温性に優れて温かい。
また、本実施の形態によれば、第１表糸を第２表糸よりも細くしているので、境界位置の下部でくびれを生じ、このくびれが足首の位置となるため、フィット感を高めることができる。
【００１２】
本発明の第４の実施の形態は、第３の実施の形態によるタイツにおいて、第１表糸には、抗菌加工を施したものである。
本実施の形態によれば、足首以下で足部や踵部を覆う第１表糸に抗菌加工が施されているため、微生物の増殖を押さえ悪臭の発生を防止できる。
【実施例】
【００１３】
以下、本発明の一実施例によるタイツについて図面を用いて説明する。
図１は本発明の一実施例によるタイツの正面図である。
本実施例によるタイツは、足の甲から足裏を収める足部１０と、足の踵を収める踵部２０と、足部１０及び踵部２０から連続して編成される脚部３０と、脚部３０から連続して編成されるパンティ部４０とからなる。
【００１４】
パンティ部４０は、一方の脚部３０Ｌから連続して編成される一方パンティ部材４０Ｌと、他方の脚部３０Ｒから連続して編成される他方パンティ部材４０Ｒとからなり、一方パンティ部材４０Ｌと他方パンティ部材４０Ｒとが、股下部４１からウエスト開口部４２まで腹部と背部とで縫着されている。図１では、腹部における縫着部４３Ｆを示しており、背部にも同様に縫着部４３Ｂが形成される。
踵部２０の内外両面には、踵部２０を形成するためのゴアライン２１を形成している。
本実施例によるタイツは、足部１０から編み始め、脚部３０は足部１０及び踵部２０から連続して編成され、一方パンティ部材４０Ｌは一方の脚部３０Ｌから連続して編成され、他方パンティ部材４０Ｒは他方の脚部３０Ｒから連続して編成され、一方パンティ部材４０Ｌと他方パンティ部材４０Ｒとが縫着されることで製造される。
脚部３０は、足部１０及び踵部２０と連続する第１脚部３１と、パンティ部４０と連続する第２脚部３２とで構成している。
第１脚部３１と第２脚部３２との境界位置Ｘは、踝より高く膝より低い位置としている。
境界位置Ｘを、踝より高く膝より低い位置とすることで、ブーツの長さに対応させて、境界位置Ｘを隠すことができる。
また、境界位置Ｘは、踵部２０の踵基準位置Ａから股下部４１までの股下寸法をＹ、踵部２０の踵基準位置Ａから境界位置Ｘまでの境界高さをＺとしたとき、０．３Ｙ≧Ｚ≧０．１Ｙとなるように設けることが好ましい。
【００１５】
足部１０、踵部２０、及び第１脚部３１は、第１弾性糸の周りを綿を主体とした繊維で覆った第１表糸と、第２弾性糸の周りをカバーリング用合成繊維で覆った裏糸とからなる第１素材繊維としている。境界位置Ｘよりも低い位置の素材繊維に綿を主体とした第１表糸を用いることで蒸れを防止できる。
第１素材繊維は、例えば綿６５％、ポリエステル３０％、ポリウレタン５％とし、ポリウレタンを弾性糸とし、綿とポリエステルの混紡でポリウレタンをカバーしている。第１弾性糸及び第２弾性糸にはゴム糸を用いることができ、カバーリング用合成繊維にはナイロンを用いることができ、第１弾性糸及び第２弾性糸としてポリウレタン、カバーリング用合成繊維としてポリエステルを用いたＦＴＹを裏糸として用いることが適している。
第１表糸には、抗菌加工を施すことが好ましい。境界位置Ｘよりも低い位置の足部１０、踵部２０、及び第１脚部３１に用いる第１表糸に抗菌加工を施すことで、微生物の増殖を押さえ悪臭の発生を防止できる。
【００１６】
第２脚部３２及びパンティ部４０は、第３弾性糸の周りを合成繊維を主体とした繊維で覆った第２表糸と、裏糸とからなる第２素材繊維としている。第２素材繊維は、例えばナイロン７０％、ポリエステル２５％、ポリウレタン５％とし、ポリウレタンを第３弾性糸とし、ナイロンとポリエステルの混紡でポリウレタンをカバーしている。第２表糸として用いる合成繊維には、ナイロンやポリエステルを用いることができる。
第２素材繊維に用いる裏糸は、第１素材繊維と同じ裏糸を用いる。第１素材繊維と第２素材繊維とには同じ裏糸を用いることで、連続して編成できるとともに、第１脚部３１と第２脚部３２との境界位置Ｘでの違和感を与えにくい。
【００１７】
第１表糸は、第２表糸の太さ（直径）の０．８倍から１．２倍の範囲の太さ（直径）とする。第１表糸を、第２表糸の太さの０．８倍から１．２倍の範囲の太さとすることで、第１脚部３１と第２脚部３２との境界位置Ｘでの違和感を与えにくい。
例えば、第２表糸として２００ｄ（デニール）の合成繊維を用いる場合には、第１表糸として２３番手から３３番手の綿を用いる。２３番手の綿はデニール換算値で２３１となり２００ｄの第２表糸に対して１．２倍、３３番手の綿はデニール換算値で１６１となり２００ｄの第２表糸に対して０．８倍となる。
第２表糸として１５０ｄの合成繊維を用いる場合には、第１表糸として２９番手から４３番手の綿を用いる。２９番手の綿はデニール換算値で１８３となり１５０ｄの第２表糸に対して１．２倍、４３番手の綿はデニール換算値で１２４となり１５０ｄの第２表糸に対して０．８倍となる。
第２表糸として２５０ｄの合成繊維を用いる場合には、第１表糸として１８番手から２７番手の綿を用いる。１８番手の綿はデニール換算値で２９５となり２５０ｄの第２表糸に対して１．２倍、２７番手の綿はデニール換算値で１９７となり２５０ｄの第２表糸に対して０．８倍となる。
第２表糸として３００ｄの合成繊維を用いる場合には、第１表糸として１５番手から２２番手の綿を用いる。１５番手の綿はデニール換算値で３５４となり３００ｄの第２表糸に対して１．２倍、２２番手の綿はデニール換算値で２４２となり３００ｄの第２表糸に対して０．８倍となる。
【００１８】
第２表糸の太さは１５０デニールから３００デニールの範囲とし、第１表糸を第２表糸よりも細くすることが好ましい。
例えば、第２表糸として２００ｄの合成繊維を用いる場合には、第１表糸として２７番手から３３番手の綿を用いる。２７番手の綿はデニール換算値で１９７となり２００ｄの第２表糸に対して０．９８倍となる。
第２表糸として１５０ｄの合成繊維を用いる場合には、第１表糸として３６番手から４３番手の綿を用いる。３６番手の綿はデニール換算値で１４８となり１５０ｄの第２表糸に対して０．９８倍となる。
第２表糸として２５０ｄの合成繊維を用いる場合には、第１表糸として２２番手から２７番手の綿を用いる。２２番手の綿はデニール換算値で２４２となり２５０ｄの第２表糸に対して０．９７倍となる。
第２表糸として３００ｄの合成繊維を用いる場合には、第１表糸として１８番手から２２番手の綿を用いる。１８番手の綿はデニール換算値で２９５となり３００ｄの第２表糸に対して０．９８倍となる。
【００１９】
なお、第１表糸は、綿に合成繊維を含んでいてもよく、第１表糸として、例えば綿アクリル混紡糸、綿レーヨン混紡糸を用いることもできる。
また、第１表糸及び第２表糸には、それぞれ複数本の糸を用いてもよい。例えば、第２表糸として２００ｄの合成繊維を用いる場合には１００ｄの合成繊維を２本用い、第１表糸として３０番手の綿を用いてもよい。また、第２表糸として３００ｄの合成繊維を用いる場合には、１００ｄの合成繊維を３本用い、第１表糸として１８番手の綿を用いる場合には、３６番手の綿を２本用いてもよい。
このように、複数本で第１表糸又は第２表糸を形成する場合には、それぞれの糸の太さを加算して第１表糸又は第２表糸の太さとする。
【００２０】
図２は、同実施例によるタイツの要部拡大写真である。
ゴアライン２１は、踵基準位置Ａと足首前下端Ｂとのラインに沿って形成し、踵基準位置Ａと足首前下端Ｂとの中心をゴアライン始点２１ａとし、踵基準位置Ａに至らない点をゴアライン終点２１ｂとしている。ゴアライン始点２１ａからゴアライン終点２１ｂまでの長さは、踵基準位置Ａから足首前下端Ｂまでの長さの０．２６倍から０．３６倍としている。
踵基準位置Ａから境界位置Ｘまでの境界高さＺは、股下寸法Ｙの０．１倍から０．３倍としている。
第１表糸を第２表糸よりも細くすることで、境界位置Ｘの下部でくびれを生じ、このくびれが足首の位置となるため、フィット感を高めることができる。
また、第２表糸の太さを１５０デニールから３００デニールの範囲とすることで、保温性に優れて温かい。
【００２１】
図３は、同実施例によるタイツの使用状態図である。
また、境界高さＺを、０．１Ｙ以上０．３Ｙ以下とすることで、少なくとも踝の位置より上までを綿を主体とした第１表糸を用いるために蒸れにくく、境界位置Ｘがショートブーツ内となるため、境界位置Ｘがショートブーツで隠れるとともに保温性に優れる。
【産業上の利用可能性】
【００２２】
本発明によるタイツは、スニーカーやブーツにあわせて使用でき、ゴルフなどのスポーツ時にも適している。
【符号の説明】
【００２３】
１０  足部
２０  踵部
２１  ゴアライン
３０  脚部
３１  第１脚部
３２  第２脚部
４０  パンティ部
４１  股下部
４２  ウエスト開口部
４３Ｂ、４３Ｆ  縫着部
Ａ  踵基準位置
Ｂ  足首前下端
Ｘ  境界位置
Ｙ  股下寸法
Ｚ  境界高さ
【図１】
2017053048.tif 000003
【図２】
2017053048.tif 000004
【図３】
2017053048.tif 000005